(57)【要約】【課題】着用時に腹部が圧迫されにくく、腹部を含むウエスト部の近傍に皺が形成されにくく、かつずり落ちにくいスカートを提供すること。【解決手段】ウエスト部２０を構成する前ベルト２１と後ベルト２２のうち、後ベルト２２を伸縮不能とし、前ベルト２１のみをカーブゴム２１ｂを挿入することで伸縮可能とする。スカート本体１０を構成する表前身頃１１ａ、裏前身頃１２ａと表後身頃１１ｂ、裏後身頃１２ｂのうち、少なくとも表前身頃１１ａの人体の腹回りに対応する箇所の裏側に保形性に優れた芯地３０を積層固定する。着用者が前屈気味の姿勢を取った場合でも、伸縮性の良好な前ベルト２１が伸長することで腹部の圧迫が防がれる。後ベルト２２は伸縮不能であるため、後ベルト２２も伸縮可能に構成した場合と比較して、着用時にずり落ちにくい。スカート本体１０の表前身頃１１ａの前ベルト２１に近接する箇所は、芯地３０により保形性が高められているため、皺が形成されにくい。【選択図】図１
0003189420.tif 000002
【実用新案登録請求の範囲】
【請求項１】
人体の腹回りからその下方にかけてを覆う前身頃と、人体の腰回りからその下方にかけてを覆う後身頃とからなるスカート本体、
前記前身頃の上縁に沿って連結される伸縮可能な前ベルトと、前記後身頃の上縁に沿って連結される伸縮不能な後ベルトとからなるウエスト部、
前記前身頃の少なくとも人体の腹回りに対応する箇所の裏側に積層固定され、その積層固定された箇所に保形性を与える芯地、を備えるスカート。
【考案の詳細な説明】
【技術分野】
【０００１】
本考案は、スカートに関する。
とくに本考案は、着用時に腹部が圧迫されにくく、かつ腹部近傍を含めてウエスト部近傍に皺が形成されにくいスカートに関する。
【背景技術】
【０００２】
一般にスカートは、パンツ等の他のボトム類と異なり、着用時における人体に対する固定箇所がウエスト部分に限定されるため、ずり落ち等を防ぐには、そのウエスト部を比較的きつめに設定する必要がある。
したがって、着用時にはウエスト周りが全般的に圧迫されやすく、特に椅子に着席するなどして前屈気味の姿勢を取った場合には、腹部が強く圧迫されることとなるため、着用感が悪い問題がある。
【０００３】
このため、特許文献１のように、スカートのウエスト部にゴム紐を挿入するなどしてウエスト部を伸縮可能に構成し、着用感を改善する試みもなされているが、ウエスト部の全周を伸縮可能とすると着用時に固定の程度が緩み、ずり落ちの問題が依然として解消されない。
また、ウエスト部を伸縮可能に構成した場合には、その収縮に従ってスカートのウエスト部近傍の生地に皺が形成されやすく、体裁が悪い問題がある。
【先行技術文献】
【特許文献】
【０００４】
【特許文献１】実開昭６４−１８１１１号公報
【考案の概要】
【考案が解決しようとする課題】
【０００５】
そこで本考案の解決すべき課題は、着用時に腹部が圧迫されにくく、腹部を含むウエスト部の近傍に皺が形成されにくく、かつずり落ちにくいスカートを提供することである。
【課題を解決するための手段】
【０００６】
上記した課題を解決するため、本考案にかかるスカートでは、そのウエスト部を構成する前ベルトと後ベルトのうち、後ベルトを従来と同様に伸縮不能とし、前ベルトのみを伸縮可能としたのである。
なお、ここでいう後ベルトが伸縮不能であるとは、一切伸縮できないことを意味するのではなく、伸縮性の良好な前ベルトと比較した場合に有意な伸縮性を示さないことを意味する。
【０００７】
併せて、スカート本体を構成する前身頃と後身頃のうち少なくとも前身頃の人体の腹回りに対応する箇所の裏側に芯地を積層固定して、その積層固定された箇所に保形性を与えることとしたのである。
なお、ここでいうスカート本体の裏側とは、スカート本体が表地と裏地とからなる二層構造の場合には、表地の裏側、すなわち表前身頃の裏側を意味する。
【考案の効果】
【０００８】
本考案のウエスト部を以上のように構成したため、着用者が前屈気味の姿勢を取った場合でも、伸縮性の良好な前ベルトが伸長することで腹部の圧迫が防がれる。
一方、後ベルトは伸縮不能であるため、後ベルトも伸縮可能に構成した場合と比較して、着用時にずり落ちにくい。
さらに、スカート本体の少なくとも前身頃の前ベルトに近接する箇所は、芯地により保形性が高められているため、皺が形成されにくい。
【図面の簡単な説明】
【０００９】
【図１】実施形態のスカートの斜視図
【図２】実施形態のスカートの着用状態を示す側面図
【図３】図２のIII−III線に沿った断面図
【考案を実施するための形態】
【００１０】
以下、図面を参照しつつ本考案の実施形態について説明する。
図１および図２のように、実施形態のスカート１は、スカート本体１０と、ウエスト部２０と、芯地３０とからなる。
そのウエスト部２０に特定の構成を採用したことにより、着用時に腹部の圧迫感を覚えず、かつずり落ちにくくなっている。
また芯地３０の存在により、スカート本体１０の腹回りに皺が生じにくくもなっている。
【００１１】
本実施形態では、図１から図３のように、スカート本体１０は、その表面側を構成する表地１１と、その裏面側を構成する裏地１２との二層構造となっている。
これら表地１１と裏地１２とは、その外縁部のみが縫い合わせ等により連結され、それ以外の箇所については互いに拘束されない、すなわちいわば浮き上がった状態となっている。
なお、裏地１２はスカート本体１０の着心地を改善する等の目的で設けられているが、スカート本体１０を表地１１のみから構成して、裏地１２を省略することも可能である。
【００１２】
図１および図２のように、本実施形態では、その表地１１は、実施形態のスカート１の着用時に人体の腹回りから膝の近傍までを覆う表前身頃１１ａと、人体の腰回りから膝裏の近傍までを覆う表後身頃１１ｂと、からなる。
図１において縦線で分割線が示されているように、本実施形態では、表前身頃１１ａおよび表後身頃１１ｂは、スカート本体１０の左右方向（周方向）に複数の略多角形のパーツに分割されている。
また、隣接するパーツの左右縁部同士を縫い合わせることにより、スカート本体１０の表地１１が縫製されている。
【００１３】
同様に、図１から図３のように、本実施形態では、その裏地１２は、実施形態のスカート１の着用時に人体の腹回りから膝の近傍までを覆う裏前身頃１２ａと、人体の腰回りから膝裏の近傍までを覆う裏後身頃１２ｂと、からなる。
本実施形態では、裏前身頃１２ａおよび裏後身頃１２ｂは、スカート本体１０の左右方向（周方向）に複数の略多角形のパーツに分割されている。
また、隣接するパーツの左右縁部同士を縫い合わせることにより、スカート本体１０の裏地１２が縫製されている。
【００１４】
ここでスカート本体１０の丈、形状については、本実施形態には限定されず、たとえばロングタイプのスカートでもミニタイプのスカートでも、タイトなタイプのスカートでもゆったりとした余裕のあるタイプのスカートでもいずれでもよい。
表地１１および裏地１２のパーツの分割数についても、特に限定されず、たとえば表地１１と裏地１２でパーツの分割数を同じにしてもよい。
また表前身頃１１ａ、裏前身頃１２ａおよび表後身頃１１ｂ、裏後身頃１２ｂをそれぞれ１パーツで構成してもよい。
また、スカート本体１０の表地１１および裏地１２の生地の種類についても、織物生地、編物生地等、特に限定されないが、実施形態のスカート１の着用感を考慮すると伸縮性のある素材が好ましい。
【００１５】
ところで着心地や見た目などの観点から、伸縮性の良好な生地が適しておらず、表地や裏地の生地に伸縮性が乏しい素材を用いざるを得ないような場合がある。
そのような場合には、たとえばその生地の布目がスカート本体１０の上下方向および左右方向に対して傾斜するような、いわゆるバイアスされた状態に用いることで、伸縮性を与えることができる。
バイアスの角度も特に限定されないが、たとえばスカート本体１０の上下方向に対して布目の方向が５〜１５度程度の角度をなすように設定すると、適度な伸縮性が得られる。
生地を縫い合わせる糸の種類も特に限定されないが、スカート本体１０の伸縮性を損ねないような、弾性糸等の伸縮性を有する糸が好ましい。
【００１６】
図１および図２のように、本実施形態では、ウエスト部２０は、前ベルト２１と後ベルト２２とからなる。
前ベルト２１は、スカート本体１０の表前身頃１１ａ、裏前身頃１２ａの上縁に縫い合わせる等して連結され、後ベルト２２は、スカート本体１０の表後身頃１１ｂ、裏後身頃１２ｂの上縁に縫い合わせる等して連結されている。
また前ベルト２１と後ベルト２２も、端部同士を縫い合わせる等して連結されている。
ウエスト部２０とスカート本体１０およびウエスト部２０の前ベルト２１と後ベルト２２を縫い合わせる糸の種類は特に限定されないが、伸縮性が損なわれないような、弾性糸等の伸縮性を有する糸が好ましい。
【００１７】
図１から図３のように、本実施形態では、前ベルト２１は、弧状に湾曲したカーブベルト２１ａからなり、内部には同様に弧状に湾曲したカーブゴム２１ｂが挿入されている。
カーブゴム２１ｂの全長がカーブベルト２１ａの全長よりも小さい場合には、その全長の差が大きいほど前ベルト２１の伸縮性が大きくなるが、その反面、伸縮性が大きすぎると前ベルト２１に皺が形成されやすく好ましくない。
そのため、カーブゴム２１ｂの全長はカーブベルト２１ａの全長よりも若干小さめ（たとえば数ｍｍ〜１ｃｍ程度小さめ）に設定されるのが好ましい。
なお前ベルト２１に伸縮性を与える方法は本実施形態には限定されない。
また、実施形態では着用者の体のラインに沿いやすいものとしてカーブベルト２１ａが採用されているが、湾曲していないストレートのベルトを用いてもよい。
前ベルト２１に挿入されるゴムについても同様に、カーブゴム２１ｂに代えて、ストレートのゴムを用いることができる。
前ベルト２１が伸縮可能であることから、前ベルト２１が伸縮不能である場合と比較して、実施形態のスカート１の着用時に前屈気味の姿勢を取った際にも、腹部の圧迫感が少なく着用感が良好である。
【００１８】
前ベルト２１の全長とスカート本体１０の表前身頃１１ａ、裏前身頃１２ａの腹回り長さとの大小関係は特に限定されない。
もっともスカート本体１０の腹回りに余裕を持たせるには、スカート本体１０の表前身頃１１ａ、裏前身頃１２ａの腹回り長さを前ベルト２１の全長よりも若干大きめに設定するのが好ましい。
その場合、前ベルト２１と表前身頃１１ａ、裏前身頃１２ａの長さに比較的大きな差が生まれるため、両者を連結する際に皺が形成されやすくなる。
しかし後述するように、表前身頃１１ａ、裏前身頃１２ａの腹回り箇所には芯地３０が積層されて保形性が付与されているため、このような皺の発生が抑制されることになる。
【００１９】
図１および図２のように、本実施形態では、後ベルト２２は、弧状に湾曲したカーブベルトからなる。
前ベルト２１とは異なりカーブゴム等の伸縮性に富んだ素材は用いられておらず、そのため前ベルト２１と比較した場合には有意な伸縮性を有しない、いわゆる固いタイプのベルトとなっている。
この後ベルト２２も前ベルト２１と同様に、カーブベルトに代えて、湾曲していないストレートのベルトを用いることも可能である。
後ベルト２２は伸縮不能であることから、後ベルト２２が伸縮可能である場合と比較して、実施形態のスカート１の着用時に人体の腰回りに対する固定の程度が良好であり、スカートがずれ落ちにくくなっている。
また後ベルト２２が伸縮不能であることから、スカート本体１０の表後身頃１１ｂ、裏後身頃１２ｂと後ベルト２２との連結箇所には、皺が形成されにくくなっている。
【００２０】
図３のように、本実施形態では、芯地３０は、スカート本体１０の表前身頃１１ａと裏前身頃１２ａの間に位置し、かつ表前身頃１１ａの裏側に重ね合わせて固定、すなわち積層固定されている。
その積層固定の範囲は、図１および図２のとおり、表前身頃１１ａの腹回りから太ももの付け根近傍にかけてである。
芯地３０の積層固定の態様は特に限定されないが、接着剤による貼り付け、溶着等が例示できる。
なお図３のように、芯地３０の表側には、表地１１としての表前身頃１１ａが位置し、芯地の裏側には、裏地１２としての裏前身頃１２ａが位置している。
このため、芯地３０はその表裏両面がこれらの生地に覆い隠されて、スカート本体１０の外面からは視認できないようになっている。
【００２１】
ここで芯地３０を積層固定する範囲は、すくなくともスカート本体１０の表前身頃１１ａの腹回り近傍に積層固定されている限りにおいて、本実施形態には限定されない。
たとえば表前身頃１１ａの裏側の全域に積層固定したり、表前身頃１１ａの裏側のみならず表後身頃１１ｂの裏側にも積層固定したりすることも可能である。
スカート本体１０の表前身頃１１ａの腹回り近傍の箇所は、その直上にウエスト部２０の前ベルト２１が位置し、この前ベルト２１が伸縮することから、前ベルト２１に追従して皺が形成されやすくなっている。
しかし、本実施形態では、表前身頃１１ａの当該箇所の裏側に芯地３０が積層固定されて保形性が向上しているため、皺の形成が抑制されており、見た目にも体裁のよいものとなっている。
【００２２】
かかる芯地３０の生地の種類は、表地１１に保形性を与えうる限りにおいて限定されないが、従来からジャケット等の上着については、保形性を持たせる目的でその表地の裏に積層される芯地が使用されており、これと同様の種類であることが好ましい。
芯地３０の生地の種類を例示すれば、織物芯地、編物芯地、不織布芯地が挙げられるが、いずれにせよ、ウエスト部２０の前ベルト２１の伸縮に追従できるように、伸縮性のある生地が好ましい。
【００２３】
図１のように、スカート本体１０の表後身頃１１ｂ、裏後身頃１２ｂからウエスト部２０の後ベルト２２にかけてファスナ４０が付属しており、着用の際に開閉することで着衣および脱衣が容易におこなえるようになっている。
このようなファスナ４０の種類、位置、数については本実施形態に限定されず、またファスナ４０を省略可能であることは無論である。
【００２４】
今回開示された実施形態はすべての点で例示であって制限的なものではないと考慮されるべきである。本考案の範囲は実用新案登録請求の範囲によって示され、その範囲内でのすべての修正と変形を含むものであることが意図される。
【符号の説明】
【００２５】
１  実施形態のスカート
１０  スカート本体
１１  表地
１１ａ  表前身頃
１１ｂ  表後身頃
１２  裏地
１２ａ  裏前身頃
１２ｂ  裏後身頃
２０  ウエスト部
２１  前ベルト
２１ａ  カーブベルト
２１ｂ  カーブゴム
２２  後ベルト
３０  芯地
４０  ファスナ
【図１】
0003189420.tif 000003
【図２】
0003189420.tif 000004
【図３】
0003189420.tif 000005